(57)【特許請求の範囲】
【請求項１】
回転装置と、
透光性部材で形成され、前記回転装置により回転軸を中心に回転する基材と、
前記基材の第１の面に設けられた波長変換素子と、
前記第１の面と対向する第２の面に設けられ、前記基材とは別体のヒートシンクと、
を備え、
前記ヒートシンクは、複数のフィンを含み、
前記複数のフィンは、前記回転軸に垂直な方向に配置される第１側部および第２側部を有し、
前記第１側部は、前記基材の外周側に配置され、
前記第２側部は、前記回転軸側に配置され、
前記第１側部は、前記第２の面から前記回転軸に沿って離れるに従って前記回転軸に近付くように、前記回転軸に対して傾斜しており、
前記複数のフィンは、前記波長変換素子よりも前記回転軸側に設けられていることを特徴とする波長変換装置。
【請求項２】
請求項１に記載の波長変換装置であって、
前記第２側部は、前記回転軸に平行な方向に沿って延出している波長変換装置。
【請求項３】
回転装置と、
透光性部材で形成され、前記回転装置により回転軸を中心に回転する基材と、
前記基材の第１の面に設けられた波長変換素子と、
前記第１の面と対向する第２の面に設けられ、前記基材とは別体のヒートシンクと、
を備え、
前記ヒートシンクは、複数のフィンを含み、
前記複数のフィンは、前記回転軸に垂直な方向に配置される第１側部および第２側部を有し、
前記第１側部は、前記基材の外周側に配置され、
前記第２側部は、前記回転軸側に配置され、
前記第２側部は、前記第２の面から前記回転軸に沿って離れるに従って前記回転軸から離れるように、前記回転軸に対して傾斜しており、
前記複数のフィンは、前記波長変換素子よりも前記基材の外周側に設けられていることを特徴とする波長変換装置。
【請求項４】
請求項３に記載の波長変換装置であって、
前記第１側部は、前記回転軸に平行な方向に沿って延出している波長変換装置。
【請求項５】
光源と、
請求項１から４のいずれか一項に記載の波長変換装置と、
を備え、
前記光源から射出された第１の波長帯の光を前記第２の面へ入射させ、前記波長変換素子により変換された第２の波長帯の光を前記第１の面から射出する照明装置。
【請求項６】
請求項５に記載の照明装置と、
前記照明装置からの照明光を画像情報に応じて変調することにより画像光を形成する光変調装置と、
前記画像光を投射する投射光学系と、
を備えるプロジェクター。
【発明の詳細な説明】
【技術分野】
【０００１】
本発明は、波長変換装置、照明装置およびプロジェクターに関するものである。
【背景技術】
【０００２】
近年、プロジェクター用の照明装置として、蛍光体が用いられている。
【０００３】
下記特許文献１の照明装置では、蛍光体（波長変換素子）を支持する基材の裏面に冷却フィンが設けられている。基材と冷却フィンは一体に形成されている。
【先行技術文献】
【特許文献】
【０００４】
【特許文献１】特開２０１２−１３８９７号公報
【発明の概要】
【発明が解決しようとする課題】
【０００５】
しかしながら、上記従来技術では反射型の波長変換装置に関するものであり、透過型の波長変換装置について想定していなかった。そのため、透過型の波長変換装置において蛍光体を冷却できる新たな技術の提供が望まれていた。
【０００６】
本発明はこのような事情に鑑みてなされたものであって、透過型において波長変換素子を冷却できる、波長変換装置、照明装置およびプロジェクターを提供することを目的とする。
【課題を解決するための手段】
【０００７】
本発明の第１態様に従えば、回転装置と、前記回転装置により回転する基材と、前記基材の第１の面に設けられた波長変換素子と、前記第１の面と対向する第２の面に設けられた、前記基材とは別体のヒートシンクと、を備え、前記ヒートシンクは、複数のフィンを含み、前記基材は、透光性部材で形成されている波長変換装置が提供される。
【０００８】
第１態様に係る波長変換装置によれば、ヒートシンクによって波長変換素子を冷却することができる。よって、波長変換素子を冷却することで該波長変換素子の温度を低減できる透過型の波長変換装置が提供される。
【０００９】
上記第１態様において、前記複数のフィンは、前記波長変換素子よりも前記回転装置の回転中心側に設けられているのが好ましい。
この構成によれば、波長変換素子のサイズを大きくすることができる。これにより、波長変換素子に光が集中的に入射されるのを防止できる。よって、波長変換素子の温度を抑制することができる。
【００１０】
上記第１態様において、前記波長変換素子は、前記複数のフィンよりも前記回転装置の回転中心側に設けられているのが好ましい。
この構成によれば、複数のフィンを大きくできるので、ヒートシンクの冷却性能を向上させることができる。
【００１１】
上記第１態様において、前記複数のフィンは、前記回転装置側の側部及び前記基材の外周側の側部の少なくとも一方に傾斜形状を有するのが好ましい。この場合において、前記傾斜形状は、前記基材から離れるに従って、前記回転装置の回転中心側に近づくように傾斜する、又は前記回転装置の回転中心から離れるように傾斜するのがより望ましい。
この構成によれば、傾斜形状によって波長変換素子への入射光とフィンとが干渉しなくなる。よって、波長変換素子に光を良好に入射させることができる。
【００１２】
本発明の第２態様に従えば、上記第１態様に係る波長変換装置と、を備え、前記光源から射出された第１の波長帯の光を前記第２の面へ入射させ、前記波長変換素子により変換された第２の波長帯の光を前記第１の面から射出する照明装置が提供される。
【００１３】
第２態様に係る照明装置は、波長変換素子の温度を抑制した透過型の波長変換装置を備えるので、明るい照明光を生成することができる。
【００１４】
本発明の第３態様に従えば、上記第２態様に係る照明装置と、前記照明装置からの照明光を画像情報に応じて変調することにより画像光を形成する光変調装置と、前記画像光を投射する投射光学系と、を備えるプロジェクターが提供される。
【００１５】
第３態様に係るプロジェクターは、上記第２態様に係る照明装置を備えるので、明るく画像品質に優れた表示を行うことができる。
【図面の簡単な説明】
【００１６】
【図１】第１実施形態に係るプロジェクターの光学系の構成を示す図。
【図２】（ａ）、（ｂ）は回転蛍光板を説明するために示す図。
【図３】（ａ）、（ｂ）はヒートシンクの概略構成を示す図。
【図４】蛍光体層に入射する励起光を示した概念図。
【図５】変形例に係る回転蛍光板の構造を示す分解斜視図。
【図６】変形例に係る回転蛍光板の構造を示す断面図。
【図７】第２実施形態に係る回転蛍光板の斜視図。
【発明を実施するための形態】
【００１７】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００１８】
（第１実施形態）
本実施形態に係るプロジェクターの一例について説明する。本実施形態のプロジェクターは、スクリーン（被投射面）ＳＣＲ上にカラー映像を表示する投射型画像表示装置である。
【００１９】
図１は、本実施形態に係るプロジェクターの光学系を示す上面図である。
プロジェクター１は、図１に示すように、照明装置１００、色分離導光光学系２００、赤色光、緑色光、青色光の各色光に対応した液晶光変調装置４００Ｒ，４００Ｇ，４００Ｂ、クロスダイクロイックプリズム５００及び投射光学系６００を備える。
【００２０】
照明装置１００は、光源１０、コリメート集光光学系２０、回転蛍光板（波長変換装置）３０、モーター（回転装置）５０、ピックアップ光学系６０、第１レンズアレイ１２０、第２レンズアレイ１３０、偏光変換素子１４０及び重畳レンズ１５０を備える。これらコリメート集光光学系２０、ピックアップ光学系６０、第１レンズアレイ１２０、第２レンズアレイ１３０、偏光変換素子１４０及び重畳レンズ１５０は、各々の光軸が、光源１０の光軸と略一致するように配置されている。
【００２１】
光源１０は、励起光Ｅとしてレーザー光からなる第１の波長帯の青色光（発光強度のピーク：約４４５ｎｍ）を射出する半導体レーザー（発光素子）からなる。光源１０は、１つの半導体レーザーからなるものであってもよいし、多数の半導体レーザーからなるものであってもよい。
なお、光源１０としては、４４５ｎｍ以外の波長（例えば、４６０ｎｍ）の青色光を射出する半導体レーザーを用いることもできる。
【００２２】
本実施形態において、光源１０は、光軸が照明光軸１００ａｘと平行になるように配置されている。
コリメート集光光学系２０は、第１レンズ２２と、第２レンズ２４とを備え、光源１０からの光を略平行化する。第１レンズ２２及び第２レンズ２４は、凸レンズからなる。
コリメート集光光学系２０は、光源１０から射出された励起光Ｅを略集光した状態で蛍光体層４２に入射させる機能を有する。
【００２３】
ピックアップ光学系６０は、第１レンズ６２及び第２レンズ６４を備える。第１レンズ６２及び第２レンズ６４は、凸レンズからなる。
ピックアップ光学系６０は、蛍光体層４２から射出された蛍光Ｙと蛍光体層４２を透過した青色光Ｂとを含む照明光Ｗをピックアップして平行化して平行光とする機能を有する。
【００２４】
図２は、実施形態に係る回転蛍光板３０を説明するために示す図である。図２（ａ）は回転蛍光板３０の正面図であり、図２（ｂ）は図２（ａ）のＡ１−Ａ１断面図である。
【００２５】
回転蛍光板３０は、図１及び図２に示すように、モーター５０と、円板（基材）４０と、ダイクロイックミラー４１と、蛍光体層（波長変換素子）４２と、ヒートシンク５１と、を備える。回転蛍光板３０は、青色光（励起光）Ｅが入射する側と反対側に向けて赤色光及び緑色光を含む黄色光（蛍光Ｙ）を射出する。
【００２６】
円板４０は、モーター５０により回転可能である。円板４０は、励起光Ｅを透過する透光性部材からなる。円板４０の材料としては、例えば、石英ガラス、水晶、サファイア、光学ガラス、透明樹脂等を用いることができる。
【００２７】
蛍光体層４２は、円板４０の上面（第１の面）４０ａの周方向に沿って設けられている。ヒートシンク５１は、円板４０の下面（第２の面）４０ｂに設けられている。
【００２８】
モーター５０は、回転軸５０ａと、ハブ５５とを含む。ハブ５５の一端側は、回転軸５０ａに取り付けられ、該回転軸５０ａとともに回転可能である。ハブ５５の他端側は、円板４０およびヒートシンク５１各々に設けられた取付孔に嵌合されている。本実施形態において、ハブ５５は、円板４０およびヒートシンク５１を固定する固定部材として機能している。このようにハブ５５を固定部材として用いることで、回転蛍光板３０の組み立て作業を容易なものとしている。また、円板４０およびヒートシンク５１がハブ５５を介して確実に固定されるので、回転軸５０ａの回転に伴う面ブレの発生を抑制することができる。
【００２９】
本実施形態において、ダイクロイックミラー４１および蛍光体層４２は、リング形状を持つ。
蛍光体層４２は、光源１０からの励起光Ｅによって励起されて第２の波長帯の蛍光Ｙを射出する。蛍光体層４２の励起光Ｅが入射する面は、蛍光Ｙが射出される射出面でもある。蛍光Ｙは、赤色光及び緑色光を含む黄色の光である。蛍光体層４２は、例えば、ＹＡＧ系蛍光体である（Ｙ，Ｇｄ）３（Ａｌ，Ｇａ）５Ｏ１２：Ｃｅを含有する層からなる。
【００３０】
ダイクロイックミラー４１は、蛍光体層４２と円板４０との間に設けられており、励起光Ｅの一部の光を透過させ、蛍光Ｙを反射させるものである。ダイクロイックミラー４１は、誘電体多層膜からなる。ダイクロイックミラー４１を透過した励起光Ｅは蛍光体層４２へと入射する。
【００３１】
励起光Ｅの一部は蛍光体層４２を透過する。以下、蛍光体層４２を透過した励起光Ｅの一部の光を青色光Ｂと称す。蛍光体層４２を透過した青色光Ｂと、蛍光体層４２から射出された蛍光Ｙとは合成されることで白色の照明光Ｗを生成する。
【００３２】
本実施形態において、蛍光体層４２にはレーザー光からなる励起光Ｅが入射するため、該蛍光体層４２において熱が発生する。本実施形態では、円板４０を回転させることで、蛍光体層４２における励起光Ｅの入射位置を順次変化させている。これにより、蛍光体層４２の同じ部分に励起光Ｅが集中的に照射されて劣化するといった不具合の発生を防止している。
【００３３】
また、本実施形態では、ヒートシンク５１が円板４０と別体で構成されている。円板４０は、励起光Ｅを透過する透光性部材からなるが、透光性部材は金属と比較して熱伝導性が低いため、蛍光体層４２の放熱手段が必要となる。本実施形態では、円板４０を介して該円板４０と別体のヒートシンク５１に蛍光体層４２の熱を伝達することで、蛍光体層４２を効率良く放熱させている。
【００３４】
また、本実施形態では、ヒートシンク５１と円板４０との間に熱伝導性接着部材４３を配置している（図２（ｂ）参照）。熱伝導性接着部材４３は、例えば、熱伝導性フィラーを含有した樹脂から構成される。熱伝導性接着部材４３は、円板４０とヒートシンク５１とを固着し、円板４０とヒートシンク５１との間の熱抵抗の増大を抑えるものである。これにより、熱伝導性接着部材４３は、円板４０上に設けられた蛍光体層４２の熱をヒートシンク５１側に効率良く伝達可能である。また、熱伝導性接着部材４３は、物性値（ヤング率、線膨張係数等）が異なる円板４０とヒートシンク５１とを固着するため、円板４０とヒートシンク５１との中間となる物性値を有することが好ましい。
【００３５】
本実施形態において、ヒートシンク５１は蛍光体層４２よりもモーター５０の回転軸５０ａ（回転中心）側に設けられている。つまり、ヒートシンク５１は、蛍光体層４２よりも円板４０の径方向内側に配置されている。
【００３６】
この構成によれば、円板４０の外周部に配置されることによって蛍光体層４２の外径寸法（表面積）をできるだけ大きくすることができる。よって、励起光Ｅが蛍光体層４２に集中的に照射されて劣化するといった不具合の発生を抑制できる。また、蛍光体層４２の温度が上昇し難くなるので、蛍光体層４２自体の寿命を延ばすことができる。
【００３７】
図３はヒートシンク５１の概略構成を示す図であり、図３（ａ）はヒートシンク５１の構造を示す斜視図であり、図３（ｂ）はヒートシンク５１の構成を示す平面図である。
ヒートシンク５１は、例えば、アルミや銅といった放熱性に優れた金属材料から構成されている。ヒートシンク５１は、図２（ｂ）および図３（ａ）、（ｂ）に示すように、複数のフィン５２と、平板５３とを含んでいる。
【００３８】
複数のフィン５２は、平板５３と一体に形成されている。複数のフィン５２は、図３（ａ）、（ｂ）に示すように、ハブ５５の周囲を囲むように配置されている。複数のフィン５２は、図３（ｂ）に示すように、平面視した状態で、円板４０の径方向外側から内側に向かって渦状となるように湾曲した突状部材から構成されている。このような突状部材からなるフィン５２は、円板４０の回転時に生じる空気抵抗を低減することが可能である。
【００３９】
ところで、ヒートシンク５１による冷却性能を向上させるにはフィン５２の外径サイズを大きくすることが重要である。本実施形態において、励起光Ｅは円板４０の下面４０ｂ側から入射するため、フィン５２のサイズが大きすぎた場合、該フィン５２によって励起光Ｅが遮られてしまうおそれがある。
【００４０】
これに対し、本実施形態では、複数のフィン５２の円板４０の外周側の側部５２ａを傾斜形状としている。側部５２ａの傾斜形状は、円板４０の下面４０ｂから離れるに従って、モーター５０の回転軸５０ａに近づくように傾斜している（図４参照）。
【００４１】
図４は円板４０の下面４０ｂ側から蛍光体層４２に入射する励起光Ｅを示した概念図である。
図４に示すように、励起光Ｅはコリメート集光光学系２０により集光されるため、該励起光Ｅの光束幅は円板４０に向かうにつれて小さくなる。複数のフィン５２の側部５２ａは上述の傾斜形状となっているため、励起光Ｅはフィン５２に遮られることなく、円板４０の下面４０ｂから蛍光体層４２に入射することができる。よって、蛍光Ｙを効率良く生成することで明るい照明光Ｗを生成できる。
【００４２】
図１に戻って、第１レンズアレイ１２０は、ピックアップ光学系６０からの光を複数の部分光束に分割するための複数の第１小レンズ１２２を有する。複数の第１小レンズ１２２は、照明光軸１００ａｘと直交する面内にマトリクス状に配列されている。
【００４３】
第２レンズアレイ１３０は、第１レンズアレイ１２０の複数の第１小レンズ１２２に対応する複数の第２小レンズ１３２を有する。第２レンズアレイ１３０は、重畳レンズ１５０とともに、第１レンズアレイ１２０の各第１小レンズ１２２の像を液晶光変調装置４００Ｒ，４００Ｇ，４００Ｂの画像形成領域近傍に結像させる。複数の第２小レンズ１３２は照明光軸１００ａｘに直交する面内にマトリクス状に配列されている。
【００４４】
偏光変換素子１４０は、第１レンズアレイ１２０により分割された各部分光束を、直線偏光光に変換する。偏光変換素子１４０は、偏光分離層と、反射層と、位相差板とを有している。偏光分離層は、回転蛍光板３０からの光に含まれる偏光成分のうち一方の直線偏光成分をそのまま透過させるとともに他方の直線偏光成分を反射層に向けて反射させる。反射層は、偏光分離層で反射された他方の直線偏光成分を照明光軸１００ａｘに平行な方向に反射する。位相差板は、反射層で反射された他方の直線偏光成分を一方の直線偏光成分に変換する。
【００４５】
重畳レンズ１５０は、偏光変換素子１４０からの各部分光束を集光して液晶光変調装置４００Ｒ，４００Ｇ，４００Ｂの画像形成領域近傍で互いに重畳させる。第１レンズアレイ１２０、第２レンズアレイ１３０及び重畳レンズ１５０は、回転蛍光板３０からの光の面内光強度分布を均一にするインテグレーター光学系を構成する。
【００４６】
色分離導光光学系２００は、ダイクロイックミラー２１０，２２０、反射ミラー２３０，２４０，２５０及びリレーレンズ２６０，２７０を備える。色分離導光光学系２００は、照明装置１００からの白色の照明光Ｗを赤色光Ｒ、緑色光Ｇ及び青色光Ｂに分離し、赤色光Ｒ、緑色光Ｇ及び青色光Ｂをそれぞれが対応する液晶光変調装置４００Ｒ，４００Ｇ，４００Ｂに導光する。
色分離導光光学系２００と、液晶光変調装置４００Ｒ，４００Ｇ，４００Ｂとの間には、フィールドレンズ３００Ｒ，３００Ｇ，３００Ｂが配置されている。
【００４７】
ダイクロイックミラー２１０は、赤色光成分を通過させ、緑色光成分及び青色光成分を反射するダイクロイックミラーである。
ダイクロイックミラー２２０は、緑色光成分を反射して、青色光成分を通過させるダイクロイックミラーである。
反射ミラー２３０は、赤色光成分を反射する反射ミラーである。
反射ミラー２４０，２５０は青色光成分を反射する反射ミラーである。
【００４８】
ダイクロイックミラー２１０を通過した赤色光は、反射ミラー２３０で反射され、フィールドレンズ３００Ｒを通過して赤色光用の液晶光変調装置４００Ｒの画像形成領域に入射する。
ダイクロイックミラー２１０で反射された緑色光は、ダイクロイックミラー２２０でさらに反射され、フィールドレンズ３００Ｇを通過して緑色光用の液晶光変調装置４００Ｇの画像形成領域に入射する。
ダイクロイックミラー２２０を通過した青色光は、リレーレンズ２６０、入射側の反射ミラー２４０、リレーレンズ２７０、射出側の反射ミラー２５０、フィールドレンズ３００Ｂを経て青色光用の液晶光変調装置４００Ｂの画像形成領域に入射する。
【００４９】
液晶光変調装置４００Ｒ，４００Ｇ，４００Ｂ各々は、入射された色光を画像情報に応じて変調して各色光に対応する画像を形成するものである。なお、図示を省略したが、各フィールドレンズ３００Ｒ，３００Ｇ，３００Ｂと各液晶光変調装置４００Ｒ，４００Ｇ，４００Ｂとの間には、それぞれ入射側偏光板が配置され、各液晶光変調装置４００Ｒ，４００Ｇ，４００Ｂとクロスダイクロイックプリズム５００との間には、それぞれ射出側偏光板が配置される。
【００５０】
クロスダイクロイックプリズム５００は、各液晶光変調装置４００Ｒ，４００Ｇ，４００Ｂから射出された各画像光を合成してカラー画像を形成する光学素子である。
【００５１】
このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。
【００５２】
クロスダイクロイックプリズム５００から射出されたカラー画像は、投射光学系６００によって拡大投射され、スクリーンＳＣＲ上で画像を形成する。
【００５３】
以上述べたように、本実施形態によれば、ヒートシンク５１によって蛍光体層４２を冷却することができる。よって、蛍光体層４２を冷却することで該蛍光体層４２の温度を低減できる回転蛍光板３０を提供できる。
【００５４】
また、回転蛍光板３０を備えた照明装置１００は、信頼性が高く、かつ明るい照明光Ｗを生成できる。また、この照明装置１００を備えたプロジェクター１は、品質に優れた画像を表示することができる。
【００５５】
なお、上記実施形態では、円板４０とヒートシンク５１との間に熱伝導性接着部材４３を配置する場合を例に挙げたが、本発明はこれに限定されない。例えば、ヒートシンク５１の平板５３および円板４０の接触面の平面度が高い場合、平板５３と円板４０の下面４０ｂとを面接触させるようにしてもよい。
【００５６】
図５は平板５３と円板４０とを面接触させた場合の分解斜視図であり、図６は平板５３と円板４０とを面接触させた場合の断面構成図である。
【００５７】
図５、６に示すように、ヒートシンク５１は、例えば、ネジ部材（固定部材）５６により円板４０に固定されている。このようにすれば、平板５３および円板４０が広い面積で接触した状態で強固に固定されるので、円板４０からヒートシンク５１（平板５３）へと熱が効率良く伝達し高い放熱性を得ることができる。また、ヒートシンク５１がネジ部材５６により円板４０に強固に固定されるので、回転軸５０ａの回転に伴う面ブレの発生を抑制することができる。また、円板４０とヒートシンク５１とを固着しないので、円板４０とヒートシンク５１との物性値の差異による反り、変形等を抑制することができる。また、図５、６では、ネジ部材５６をヒートシンク５１側から挿通しているが、円板４０側から挿通してもよい。
【００５８】
（第２実施形態）
続いて、本発明の第２実施形態について説明する。本実施形態と上記実施形態との違いは、ヒートシンクの構造であり、それ以外の構造は共通である。以下では、上記実施形態と共通の構成及び部材については同じ符号を付し、その詳細な説明については省略する。
【００５９】
図７は本実施形態の回転蛍光板３０Ａの斜視図である。
図７に示すように、本実施形態の回転蛍光板３０Ａにおいて、蛍光体層４２はヒートシンク１５１（複数のフィン５２）よりもモーター５０の回転軸５０ａ（回転中心）側に設けられている。
【００６０】
つまり、ヒートシンク１５１は、蛍光体層４２よりも円板４０の径方向外側に配置されている。この構成によれば、円板４０の外周部に配置されることによって上記実施形態の構成に比べて、フィン５２の表面積を大きくできる。よって、ヒートシンク１５１の冷却性能を向上させることができる。
【００６１】
なお、ヒートシンク１５１の外径寸法は、円板４０の外径寸法よりも大きくしても良い。この場合、複数のフィン５２の外径寸法と平板５３の外径寸法とは同じにしても良いし、フィン５２の外径寸法を平板５３の外径寸法より大きくしても良い。
【００６２】
回転蛍光板３０Ａにおいて、円板４０の径方向内側におけるフィン５２のサイズが大きすぎると、該フィン５２によって励起光Ｅが遮られてしまうおそれがある。
【００６３】
これに対し、本実施形態の回転蛍光板３０Ａでは、複数のフィン５２の円板４０のモーター５０の回転軸５０ａ側の側部５２ｂを傾斜形状としている。側部５２ｂの傾斜形状は、円板４０の下面４０ｂから離れるに従って、モーター５０の回転軸５０ａから離れるように傾斜している。
このように複数のフィン５２の側部５２ｂを上述の傾斜形状とすることで、励起光Ｅがフィン５２に遮られることを防止できる。よって、円板４０の下面４０ｂ側から蛍光体層４２に励起光Ｅが効率良く入射することで明るい照明光Ｗを生成することができる。
【００６４】
なお、本発明は、上記実施形態のものに必ずしも限定されるものではなく、本発明の趣旨を逸脱しない範囲において種々の変更を加えることが可能である。
例えば、上記第１実施形態及び第２実施形態の構成を組み合わせても良い。すなわち、円板４０に対し、２つのヒートシンク５１、１５１を配置するようにしても良い。
【００６５】
また、上記実施形態では、３つの液晶光変調装置４００Ｒ，４００Ｇ，４００Ｂを備えるプロジェクター１を例示したが、１つの液晶光変調装置でカラー映像を表示するプロジェクターに適用することも可能である。また、光変調装置として、デジタルミラーデバイスを用いてもよい。
【００６６】
また、上記実施形態では本発明による照明装置をプロジェクターに搭載した例を示したが、これに限られない。本発明による照明装置は、照明器具や自動車のヘッドライト等にも適用することができる。
【符号の説明】
【００６７】
Ｂ…青色光（第１の波長帯の光）、Ｙ…蛍光（第２の波長帯の光）、１…プロジェクター、１０…光源、３０，３０Ａ…回転蛍光板（波長変換装置）、４０…円板（基材）、４０ａ…上面（第１の面）、４０ｂ…下面（第２の面）、４２…蛍光体層（波長変換層）、５０…モーター（回転装置）、５１…ヒートシンク、５２…フィン、５２ａ…側部（基材の外周側の側部）、５２ｂ…側部（回転装置側の側部）、５３…平板、５５…ハブ、１００…照明装置、４００Ｒ，４００Ｇ，４００Ｂ…液晶光変調装置（光変調装置）、６００…投射光学系。
【図１】
0006641860.tif 000002
【図２】
0006641860.tif 000003
【図３】
0006641860.tif 000004
【図４】
0006641860.tif 000005
【図５】
0006641860.tif 000006
【図６】
0006641860.tif 000007
【図７】
0006641860.tif 000008